(57)【要約】      （修正有）【課題】普通紙の分離性能と光沢紙の分離時の傷防止を計る記録装置の提供。【解決手段】記録媒体格納部と、最上部の記録媒体を送り出すピックアップローラと、ピックアップローラより搬送経路の下流側に配置され、下流側に行くに従って搬送経路に近づく斜面と、斜面より下流側に配置された搬送ローラ１８と、搬送ローラに接触可能であって搬送ローラとの間に記録媒体を挟持して搬送する摩擦部材２３と、搬送ローラと摩擦部材とを相対的に離接する相対位置変更手段と、記録媒体の種類を設定する媒体種設定手段と、媒体種設定手段による設定結果に基づき、記録媒体が搬送ローラに達する前に相対位置変更手段を制御して、搬送ローラまたは摩擦部材の接触位置あるいは離間位置を選択する制御手段と、を有することを特徴とする。【選択図】    図６
2004331300.tif 000002
【特許請求の範囲】
【請求項１】
複数枚の記録媒体を格納する記録媒体格納部と、
複数枚の記録媒体中の最上部の記録媒体に接触して、前記記録媒体格納部から最上部の記録媒体を送り出すピックアップローラと、
前記ピックアップローラより搬送経路の下流側に配置され、下流側に行くに従って該搬送経路に近づく斜面と、
前記斜面より下流側に配置された搬送ローラと、
前記搬送ローラに接触可能であって該搬送ローラとの間に記録媒体を挟持して搬送する摩擦部材と、
前記搬送ローラと摩擦部材とを相対的に離接する相対位置変更手段と、
記録媒体の種類を設定する媒体種設定手段と、
前記媒体種設定手段による設定結果に基づき、記録媒体が搬送ローラに達する前に前記相対位置変更手段を制御して、前記搬送ローラまたは摩擦部材の接触位置あるいは離間位置を選択する制御手段と、を有することを特徴とする記録装置。
【発明の詳細な説明】
【０００１】
【発明の属する技術分野】
本発明は、複数枚の記録媒体から１枚ずつ分離して給送する給送装置を備えた記録装置に関するものである。
【０００２】
【従来の技術】
記録装置、なかでもインクジェットプリンタに代表される昨今のカラープリンタは、普通紙に対するテキスト記録から、厚手光沢紙に対する写真調記録までを１台でまかなっている。従って使用される記録媒体の厚みが０．１〜０．５ｍｍと幅ひろく、剛性もさまざまである。また、インク受容層や光沢層を持つものも存在し、摩擦係数の幅もひろい。
【０００３】
このように多様な記録媒体をすべて安定して分離するために、様々な給送方式を備えた記録装置が考案されている。
【０００４】
例えば、給送トレイやカセットに格納された複数の記録媒体から１枚ずつ分離給送する機構として、記録媒体の搬送経路内に設けた斜面を利用する斜面分離を備えた記録装置が知られている。この斜面分離は、記録媒体の分離にあたって複雑な機構が不要なので、比較的安価に構成できる利点がある。
【０００５】
斜面分離とは、原理的には、斜面を記録媒体が上っていくときの抵抗力を以下のように設定することにより分離を行う。
１枚目の記録媒体と２枚目の記録媒体間の摩擦力＜記録媒体に与えられる抵抗力＜１枚目の記録媒体に与えられる推進力
ここで、安定して分離を行う為には、全紙種で前記大小関係を維持する必要があるが、それは実質上不可能であった。
【０００６】
そこで、特開平５−３９１３６では、斜面角度をレバーによって２段階に可変できる自動給送装置が提案されている。また特開平１１−１１７１９では、比較的高摩擦係数の第一斜面と低摩擦係数の第二斜面を備え、第一斜面がラバー部材等でプレロードされ、第二斜面表面を越えて第一斜面表面のほうが突き出ている構成が提案されている。上記構成により、高剛性の記録媒体が第一斜面表面にあたるとラバーがたわんでへこみ、第一斜面表面と第二斜面表面が面一になって、両方の斜面と係合する。低剛性の記録媒体の場合は第一斜面はへこまずに、位置を維持し、第一斜面表面と係合する。これによって、剛性の異なる記録媒体も分離可能としている。
【０００７】
また、搬送ローラと摩擦部材で記録媒体を狭持し、摩擦部材と記録媒体のあいだの摩擦力を堰き止め力として利用するいわゆるデュプロ分離や、搬送ローラにトルクリミッタに連結したローラを圧接し、トルクリミッタの抵抗トルクを利用して分離するいわゆるリタードローラ分離もひろく普及している。
【０００８】
上述した斜面分離とリタードローラ分離を組み合わせた発明として、特開２０００−３１３５３９が提案されている。この発明によれば、斜面分離部の下流側にリタードローラ分離部が位置し、フィードローラとリタードローラのニップ部あるいはフィードローラのニップ部寄りの部分に記録媒体が突入するような搬送経路を構成している。
【０００９】
【特許文献１】
特開平５−３９１３６号公報
【特許文献２】
特開平１１−１１７１９号公報
【特許文献３】
特開２０００−３１３５３９号公報
【００１０】
【発明が解決しようとする課題】
しかしながら、上記従来例では以下のような問題があった。
【００１１】
特開平５−３９１３６の自動給送装置においては、斜面の角度だけを切り換える。一般に、普通紙においては斜面角度を水平面に対し６０°〜８０°付近に設定し、厚紙においては４０°〜６０°に設定する。ところが、記録媒体が上側にカールした場合、記録媒体と斜面の相対角度が変化し、特に薄い記録媒体では多量の記録媒体が重送を起こし、それらが記録部に突入してジャムが発生し、最悪の場合、記録部が破損に到る事態が発生してしまう。また環境条件によっても記録媒体の剛度や記録媒体間の摩擦係数は変化するため、角度変化のみで様々な記録媒体を安定的に分離、給送することは現実には確実でないという問題があった。
【００１２】
特開平１１−１１７１９のシート移動装置及びシートセパレータでは、高剛性の記録媒体がプレロードされた第一斜面を押して、第一斜面表面と第二斜面表面が面一になる。このとき、高摩擦係数の第一斜面との係合が完全になくなるわけではなく、抵抗力が２つの斜面に分散している状態であるに過ぎない。従って、第一の斜面と係合する記録媒体の端面によっては、ひっかかりが生じ、不送りジャムが発生したり、分離できたとしても、高摩擦係数を持つ斜面とこすれることにより、記録媒体端面に傷が生じる場合があった。
【００１３】
一般に用いられる高剛性の記録媒体は、写真調の記録を目的とする厚手の用紙であったり、ハガキであるため、このような記録媒体の傷は記録物としての品位を著しく落としてしまうことになる。薄手で低剛性の記録媒体の分離性能を上げるため、より摩擦係数の高い斜面にすると、さらに高剛性の記録媒体の傷付きの程度がひどくなるので、低剛性の記録媒体の分離性能と高剛性の記録媒体の傷付き防止を両立させることが非常に困難であるという欠点があった。
【００１４】
一方、デュプロ分離やリタードローラ分離では、搬送ローラと摩擦部材あるいはリタードローラの接触部に記録媒体を導くため、記録媒体にカールが存在しても矯正されるので、安定的に分離を行うことができる。しかしながら、記録媒体を狭持する性格上、摩擦部材やローラに記録媒体が押しつけられるので、表面にコート層を有するいわゆるコート紙や光沢紙では、摩擦部材やローラと記録媒体のこすれや、記録媒体どうしのこすれにより許容しがたい傷が生じるという欠点があった。
【００１５】
従って、特開平２０００−３１３５３９のように斜面の下流にフィードローラとリタードローラが位置している構成の場合、光沢紙等ではフィードローラとリタードローラでの分離時に傷が生じるという欠点があった。
【００１６】
そこで本発明は、普通紙の分離性能と光沢紙の分離時の傷防止との両立を図り、様々な記録媒体を適切に分離給送しうる記録装置を提供することを目的としている。
【００１７】
【課題を解決するための手段】
上記課題を解決するために、本発明に係る記録装置の代表的な構成は、複数枚の記録媒体を格納する記録媒体格納部と、複数枚の記録媒体中の最上部の記録媒体に接触して、前記記録媒体格納部から最上部の記録媒体を送り出すピックアップローラと、前記ピックアップローラより搬送経路の下流側に配置され、下流側に行くに従って該搬送経路に近づく斜面と、前記斜面より下流側に配置された搬送ローラと、前記搬送ローラに接触可能であって該搬送ローラとの間に記録媒体を挟持して搬送する摩擦部材と、前記搬送ローラと摩擦部材とを相対的に離接する相対位置変更手段と、記録媒体の種類を設定する媒体種設定手段と、前記媒体種設定手段による設定結果に基づき、記録媒体が搬送ローラに達する前に前記相対位置変更手段を制御して、前記搬送ローラまたは摩擦部材の接触位置あるいは離間位置を選択する制御手段と、を有することを特徴とする。
【００１８】
【発明の実施の形態】
［第一実施形態］
本発明に係る記録装置の第一実施形態について、図を用いて説明する。図１は給送カセットを説明する斜視図、図２は給送カセットを給送装置に挿入した状態の斜視図、図３は内ガイド及び上ガイドを取り除いた状態の斜視図、図４は内ガイド及び分離ローラを取り除いた状態の斜視図、図５は分離パッド近傍の拡大斜視図、図６、図７は分離ローラ軸方向から見た側面図である。本実施形態は、液体インクを吐出して記録を行うインクジェット記録装置に発明を適用した例である。
【００１９】
（記録部の構成）
図１は、給送カセット１（記録媒体格納部）を示している。図において、給送カセット１は樹脂製のカセットであり、内部に不図示の記録媒体を格納する。記録媒体としては、コピーに利用される普通紙や、写真調記録に使用する厚手の光沢紙、トラペンフィルム、ハガキ、カード、封筒等を格納することができる。
【００２０】
給送カセット１は、底部３に対して１２０°の角度をなす傾斜壁４を有する。傾斜壁４には記録媒体分離用の斜面を形成するステンレス製の斜面板５が５個取り付けられる。この斜面板５の表面角度は傾斜壁４と同じく底部３に対して１２０°の角度となっている。斜面板５は記録媒体との間に比較的低い摩擦係数を有し、厚手の紙に対し最適な分離条件を提供する。すなわち斜面板５は、後述するピックアップローラより搬送経路の下流側に配置され、下流側に行くに従って該搬送経路に近づいている。
【００２１】
給送カセット１にはサイドガイド７が設けられており、記録媒体の幅に合わせて移動可能となっている。サイドガイド７には同様に移動可能な後端ガイド８が設けられており、記録媒体の長さに合わせた位置で固定可能となっている。各記録媒体サイズに合致した位置に固定すると、記録媒体後端とガイド間に約１ｍｍの隙間が存在するようになっている。
【００２２】
図２は給送カセット１を給送装置に挿入して様子を描いた斜視図で、外装等は省略してある。図２に示すように、給送カセット１の上方には表面がゴム製のピックアップローラ９が配置されており、最上位の記録媒体２の表面に接触する。
ピックアップローラ９は回転して記録媒体２を傾斜壁４の方向に推進させる。ピックアップローラ９はローラアーム１０によって回転支持されており、ローラアーム１０は両端を不図示のフレームで支持されたアーム支持軸１１を中心として回動自在となっている。ローラアーム１０にはモータ１２が設けられており、ローラアーム１０内部のギア列１３を介してピックアップローラ９に駆動力を伝達する。ピックアップローラ９はモータ１２を含めたアーム１０自身の自重で記録媒体２の表面に接触する。接触荷重は１５０ｇであり、ピックアップローラ９表面と記録媒体の摩擦係数は１．５〜２．２程度なので、推進力として、２２５ｇ〜３３０ｇとなる。また、ピックアップローラ９と同軸上に不図示のワンウェイクラッチが搭載されており、ピックアップローラ９は、下流に記録媒体を送る回転方向には空転するようになっている。
【００２３】
ピックアップローラ９から始まる搬送経路は、傾斜壁４の斜面板５を通過し、内ガイド１５及び外ガイド１４、上ガイド１６によって形成され、記録媒体２を記録部へと導いている（図８参照）。
【００２４】
図３は図２の状態から内ガイド１５及び上ガイド１６を取り除いた斜視図であり、図４は図２の状態から内ガイド１５及び分離ローラを取り除いた斜視図である。
【００２５】
図３に示すように、分離ローラ軸１７には、幅方向の２箇所に分離ローラ１８、１９が圧入固定される。すなわち分離ローラ１８、１９は、斜面板５より下流側に配置された搬送ローラである。分離ローラ１８、１９は分離ローラギア２０によって、不図示の駆動源及び駆動伝達部から駆動伝達され、記録媒体搬送方向に回転する。
【００２６】
図４に示すように、分離ローラ１８、１９近傍には、分離パッド２３、２４（摩擦部材）が接触可能に配置され、分離ローラ１８、１９との間に記録媒体２を挟持して搬送する。分離パッド２３、２４は同形状であって、分離パッド軸２１に取り付けられている。分離パッド２３、２４は発砲ウレタンゴム製で、記録媒体との摩擦係数は記録媒体分離に最適な２〜２．５である。また分離パッド２３、２４はパッドホルダ２５、２６に両面テープで貼りつけられる。パッドホルダ２５、２６には、同形状の樹脂製の対向コロ２７、２８（従動コロ）が取り付けられている。
【００２７】
幅方向２箇所に配置した分離パッド２３、２４、パッドホルダ２５、２６、対向コロ２７、２８を含むユニットは全く同形状なので、これらのうち１つを図５を用いて説明する。
【００２８】
図５は分離パッド２３付近の拡大斜視図であり、上述したように、パッドホルダ２５に分離パッド２３、対向コロ２７が取り付けられる。対向コロ２７の軸はバネ軸２９であり、対向コロ２７を分離ローラ１８に押しつける役目をする。もう一方にもバネ軸３０が同様に存在する（図４参照）。
【００２９】
分離パッド軸２１とパッドホルダ２５は固定され、一体的に分離パッド軸２１を中心に回転可能である。図４に示すように、分離パッド軸２１には分離パッド軸ギア２２が固定されており、不図示の駆動源から駆動伝達され、分離パッド軸２１及びパッドホルダ２５、２６を回転させる。すなわち、不図示の制御手段（記録装置の制御部）によって分離パッド軸２１を回転駆動することにより、分離パッド２３または対向コロ２７を選択的に分離ローラ１８に圧接することが可能となる。すなわちパッドホルダ２５、２６は、分離ローラ１８、１９と分離パッド２３、２４とを相対的に離接するという意味で相対位置変更手段であり、また分離パッド２３、２４および対向コロ２７、２８と、分離ローラ１８、１９とを選択的に離接するという意味で相対位置切替手段である。
【００３０】
図６、図７は分離ローラ軸１７方向から見た側面図である。図６は分離ローラ１８に分離パッド２３が接触している状態を示している。このとき分離パッド軸２１は、分離パッド２３が分離ローラ１８に圧接状態になるような角度位相にある。この状態は後述する普通紙モード時の状態である。図７は分離ローラ１８に対向コロ２７が接触している状態を示している。このとき分離パッド軸２１は図中反時計方向に回転し、分離パッド２３が分離ローラ１８から離れ、対向コロ２７が接触する。この状態は後述するコート紙、光沢紙モード時の状態である。
【００３１】
（全体構成）
次に、記録装置の全体構成について説明する。図８は上述した給送装置より下流側に配置された記録部もあわせて表した斜視図、図９は記録装置に記録信号を送信するホストとしてのコンピュータのプリント設定画面を表す図である。
【００３２】
１枚ずつ分離された記録媒体２は前記内ガイド１５や外ガイド１４でガイドされ、上ガイド１６下部を経由して、紙送りローラ３５と、ピンチローラガイド３３に回転支持された８個のピンチローラ３４のニップ部に挟まれる。挟まれる直前に不図示の記録媒体通過センサにて記録媒体の通過を検出する。挟まれた後には、不図示の紙送りモータとギア列によって駆動される紙送りローラ３５が回転して、記録媒体がプラテン３６上で間欠搬送されつつ、キャリッジ４０に搭載された不図示のインクジェットヘッドでインクを吐出して記録が行われる。キャリッジ４０はガイドシャフト４１と不図示のガイド板で支持され、キャリッジモータ４４に係合するキャリッジベルト４５によって記録媒体送り方向と直角な方向（主走査方向）にスキャンする。このとき、ピックアップローラ９は停止し、前記ワンウェイクラッチの作用で連れ回りする。分離ローラ軸１７は同期回転する。
【００３３】
記録が終了した記録媒体は紙送りローラ３５とベルト３９で連結されて回転する２本の排出ローラ３７、３８および拍車４６に挟まれて不図示の排出トレイ上に排出される。
【００３４】
図９に示すコンピュータのプリント設定画面（媒体種設定手段）において、記録媒体の種類を設定する媒体種設定枠５０があり、三角ボタン５１を押してプルダウンメニュー５２を表示させ、この中から給送カセット１内にセットした記録媒体を指定する。コンピュータ内のメモリ装置には各記録媒体と分離パッド軸２１の角度位相、すなわち、パッドホルダ２５の角度位相との関係を表すテーブルが格納されており、このテーブルに従って不図示の駆動源駆動し、２つの位置のいずれかにパッドホルダ２５を停止する。なお、新しく記録媒体の種類を設定し直すまでは、パッドホルダ２５は以前の位置を維持する。
【００３５】
（動作説明）
次に、以上のような構成における記録動作に関し、図１０を用いて説明する。図１０は記録装置の動作を説明するフローチャートである。
【００３６】
まず、ステップ（以下、Ｓと省略する）１で、電源がＯＮされる。Ｓ２で、コンピュータのプリント設定画面を使用者が開いて、記録媒体の種類を変更した場合、その種類に応じて分離パッドホルダ角度位相を変化させ（Ｓ３）、記録媒体の種類を変更しなかった場合、分離パッドホルダ角度位相はそのまま変化させなずにＳ４に進む。
【００３７】
ここで、使用者がプリント設定画面において普通紙を選択した場合（普通紙モード）、上述した如く分離パッド軸２１を駆動し、パッドホルダ２５、２６の角度位相を制御して、図６に示した如く分離パッド２３、２４を分離ローラ１８、１９に圧接する。分離パッド２３、２４は対向コロ２７、２８よりも摩擦係数が大きいため、安定して確実に分離することができる。
【００３８】
一方、使用者がプリント設定画面においてコート紙や光沢紙を選択した場合（コート紙、光沢紙モード）、図７に示した如く対向コロ２７、２８を分離ローラ１８、１９に圧接する。対向コロ２７、２８は分離ローラ１８、１９に従動回転するものであり、分離能力はないに等しい。従って、本モードにおいて分離は基本的に斜面板５によって行われる。しかし、対向コロ２７が分離ローラ１８に従動すること、および樹脂製であって摩擦係数が分離パッド２３より大幅に低いことから、コート紙等のインク受容層を破壊することがない。さらにコート紙や光沢紙は一般に普通紙よりも剛性が高いため、斜面板５のみによっても十分に分離を行うことができる。
【００３９】
次にＳ４で、コンピュータからの記録信号を受信する。Ｓ５でピックアップローラ９が回転し、記録媒体をピックするとともに、分離ローラ軸１７、ＬＦローラ３５が回転する。記録媒体が普通紙等の薄い紙の場合、斜面板５及び分離パッド２３、２４で１枚のみ分離される。コート紙等の表面がデリケートな用紙あるいは厚紙等は斜面板５でのみ分離される。Ｓ６で、記録媒体通過センサがＯＮしたら、Ｓ７で、所定の頭出し位置まで記録媒体を送り、紙送りローラ３５、分離ローラ、ピックアップローラ９が停止する。記録媒体通過センサがＯＮしなければ、給送不良とみなし、エラーとする。
【００４０】
Ｓ８で、キャリッジ４０がスキャンし、１行分インク吐出して記録する。Ｓ９で、記録終了なら、Ｓ１１で排出する。記録終了でないなら、Ｓ１０で１行分紙送りし、Ｓ５から繰り返す。排出後、Ｓ１２で次ページ記録がないならば、Ｓ１３で電源オフし、動作終了となる。次ページ記録があれば、Ｓ５に飛び、ピックアップ動作から繰り返す。
【００４１】
上記説明した如く、本発明に係る記録装置においては、記録媒体の種類に応じて、分離パッド２３、２４と記録媒体２を接触させるかどうかを選択可能にできるため、普通紙の分離性能と光沢紙の分離時の傷防止との両立を図り、様々な記録媒体を種類に応じて適切に分離給送することができる。具体的には、和紙のような記録媒体厚みが０．０５程度でこしの弱い記録媒体や、コピー用紙のような厚み０．１程度までのいわゆる普通紙などは、斜面板５による分離に加えて、分離パッド２３、２４による摩擦分離を行い、記録媒体２がカールしても確実に分離できるようにする。また、写真調の記録に利用する光沢紙やコート紙等の表面が傷つきやすい記録媒体２に対しては、分離ローラ１８、１９と分離パッド２３、２４を相対的に離間させ、表面傷を防止する。厚紙の場合、斜面板５の斜面角度を厚紙に適合するような角度に設定しておけば、確実に分離可能である。
【００４２】
また分離パッド２３、２４と記録媒体２を接触させるのか、対向コロ２７、２８と接触させるのかを選択可能であることから、光沢紙やコート紙等の表面が傷つきやすい記録媒体に対しては、分離ローラ１８、１９と対向コロ２７、２８で記録媒体２を送ることにより、記録部まで、記録媒体２を送る手段を他に設ける必要がない。また、分離パッド２３、２４と対向コロ２７、２８の分離ローラ１８、１９に対する離接手段を共通化した相対位置切替手段を用いることにより、コンパクトな構成で、分離性能と記録媒体の傷付き防止を両立した信頼性に優れた装置を実現できる。
【００４３】
なお、上述の例では、給送カセット１を持ち、かつＵターンパスの記録装置の例を説明したが、本発明はこれに限定するものではなく、ストレートパスや、斜め上からＪ字状に記録媒体を給送するいわゆるＪパス等、いかなる形態の記録装置にも適用し、本発明の効果を得ることができる。
【００４４】
また、本実施形態では分離用に摩擦パッドを使用したが、本発明はこれに限定するものではなく、トルクリミッタに連結したローラなど、記録媒体に対して堰き止め力を与えるものはすべて本発明に適用可能である。また、記録媒体の種類の設定は必ずしもホスト上で行う必要はなく、記録装置に設けたボタン等で設定できるようにしてもよい。
【００４５】
また、分離パッド軸ギア２２を駆動することにより分離パッドと対向コロの位置を切り換えるように説明したが、使用者が手動によりレバー等を操作することにより切り換えを行ってもよい。
【００４６】
［第二実施形態］
本発明に係る記録装置の第二実施形態について、図を用いて説明する。図１１はガイド類を省略した要部斜視図、図１２、図１３は分離ローラ軸の軸方向から見たソレノイド周辺の図であって、上記第一実施形態と説明の重複する部分については同一の符号を付して説明を省略する。
【００４７】
図１１に示すように、本実施形態においては分離パッドは設けられておらず、分離ローラ１８、１９にそれぞれ接触する対向ローラ１００、１０１が設けられている。対向ローラ１００、１０１は、対向ローラ軸１０２に取り付けられて一体的に回転する。対向ローラ軸１０２には軸ギア１０３が固定されており、この軸ギア１０３には遊星ギア１０４が係合する。遊星ギア１０４は振り子アーム１０６にその回転軸を支持されると共に、同様に振り子アーム１０６に支持された太陽ギア１０５と係合する。
【００４８】
振り子アーム１０６は太陽ギア１０５を中心に回転可能であり、その際、遊星ギア１０４も振り子アーム１０６と一体に回転する。太陽ギア１０５の中心軸と同軸上にはトルクリミッタ１０７が設けられており、太陽ギア１０５の中心と不図示のトルクリミッタ内輪軸中心は連結されている。トルクリミッタ外形は不図示のフレームに固定されており、内輪軸が回転するとき、所定の抵抗トルクが内輪軸に付与される。したがって、その抵抗トルクは太陽ギア１０５、遊星ギア１０４、軸ギア１０３を介して、対向ローラ軸１０２に伝達される。振り子アーム１０６のバネかけ部１１２と不図示のフレームに設けたバネかけ１０９との間には引っ張りバネ１０８が配置されており、振り子アーム１０６に荷重を付加する。この付勢力により、遊星ギア１０４は軸ギア１０３に押し付けられ、駆動伝達する。
【００４９】
振り子アーム１０６の下端には連結板１１０が取り付けられており、ソレノイド１１１のソレノイド軸１１３と連結されている。ソレノイド１１１は、不図示の電気基板から電流を流すと、電磁力によって内部のソレノイド軸１１３がソレノイド内部に引き込まれる。従って、ソレノイド１１１に通電すると、ソレノイド軸１１３は引っ込み、引っ張りバネ１０８の付勢力に反して振り子アーム１０６は回転する。このとき、遊星ギア１０４は軸ギア１０３から離れる。すなわちソレノイド１１１、遊星ギア１０４を含む一連の機構は、クラッチ手段を構成している。
【００５０】
図１２、図１３は分離ローラ軸１７の軸方向から見たソレノイド周辺の図であり、図１２は遊星ギア１０４と軸ギア１０３が係合している状態（ソレノイド非通電）、図１３は離れている状態（ソレノイド通電）を示している。このように、不図示の制御手段によってソレノイド１１１をオンオフすることにより、遊星ギア１０４が変位するので、軸ギア１０３に対してトルクリミッタ１０７の抵抗力を伝達するか否かを選択可能となる。非通電時には対向ローラ１００、１０１が回転する際に抵抗トルクが働き、この抵抗トルクと記録媒体間の摩擦力の差を利用して、記録媒体分離を行うことが可能となる。通電時には、対向ローラ１００、１０１には抵抗トルクが働かないので、記録媒体分離作用はなくなり、対向ローラは分離ローラ１８、１９に従動するだけとなる。
【００５１】
上記構成の記録装置を用いて、第一実施形態と同様に、普通紙モードにおいては非通電状態とする。これにより安定した記録媒体堰き止め力をトルクリミッタ１０７により供給でき、斜面板５および対向ローラ１００、１０１の抵抗トルクを利用して確実に薄紙分離を行う。またコート紙、光沢紙モードにおいては通電状態とする。これにより対向ローラ１００、１０１による記録媒体堰き止め力はなくなるので、記録媒体２は斜面板５のみによって分離され、分離ローラ１８、１９や対向ローラ１００、１０１と記録媒体２がこすれることはなくなり、記録媒体表面に対する傷つけを防止しつつ分離を行うことが可能となる。すなわち、記録媒体の種類に応じて、対向ローラとトルクリミッタとの間の連結、非連結を選択可能としたことにより、分離性能と記録媒体の傷付き防止を両立した信頼性に優れた装置を実現できる。
【００５２】
なお、本実施形態においては対向ローラ１００、１０１にクラッチ手段を設けてトルクリミッタを連結、非連結としているが、分離ローラ１８、１９と対向ローラ１００、１０１とを相対的に離接する相対位置変更手段を設け、コート紙、光沢紙モードにおいては離間位置とすることでもよい。また、上記第一実施形態と同様の構成によって対向ローラ１００、１０１と対向コロ２７、２８（従動コロ）とを分離ローラ１８、１９に選択的に接触可能とすることも可能である。これにより、記録部まで記録媒体を送る手段を他に設ける必要がなくなる。
【００５３】
［第三実施形態］
本発明に係る記録装置の第三実施形態について、図を用いて説明する。図１４は本実施形態に係る給送部近傍の斜視図、図１５は分離ローラ軸方向から見た側面図であって、上記第一実施形態と説明の重複する部分については同一の符号を付して説明を省略する。
【００５４】
図１４、図１５においては、給送部とカセットのみ描いている。図に示すようにピックアップローラ９の下流側には、不図示のフレームに固定されたセンサ支持台２００が配置され、記録媒体２に近い側には記録媒体２に対し光線を発射する発光素子２０１と、その記録媒体２上での反射光を検知する受光素子２０２を固定している。
【００５５】
この発光素子２０１、受光素子２０２からなるセンサ（媒体種検知手段）を用いると、記録媒体２の表面性によって反射光量が異なるため、受光量を基に記録媒体２の種類を特定することができる。受光素子２０２で受光した光量レベルによって、記録媒体２は大きく２群に分けられる。比較的厚くて剛性の高い基材に光沢処理を施したいわゆる光沢紙は、表面での反射率が高いため、光量が大きくなる。コピー紙等の普通紙は反射率が光沢紙に比較すると小さいため、光量も小さくなる。従って、受光量を一定の基準光量と比較することにより、記録媒体が普通紙か光沢紙かの判別が可能となる。
【００５６】
この判別情報に基づき、第一実施形態で述べたように、分離パッド２３、２４が分離ローラ１８、１９に接触するのか、対向コロ２７、２８が接触するのかを選択することにより、確実な分離性能と記録媒体の傷つき防止を両立することができる。すなわち、本実施形態では、第一実施形態のように、使用者が意図的に記録媒体２の種類の設定をしなくても、自動的に装置が判断して、最適な分離方法を設定することができるようになり、より操作性に優れた装置とすることができる。
【００５７】
〔実施態様〕
本発明の実施態様について以下に列挙する。
【００５８】
［実施態様１］
複数枚の記録媒体を格納する記録媒体格納部と、
複数枚の記録媒体中の最上部の記録媒体に接触して、前記記録媒体格納部から最上部の記録媒体を送り出すピックアップローラと、
前記ピックアップローラより搬送経路の下流側に配置され、下流側に行くに従って該搬送経路に近づく斜面と、
前記斜面より下流側に配置された搬送ローラと、
前記搬送ローラに接触可能であって該搬送ローラとの間に記録媒体を挟持して搬送する摩擦部材と、
前記搬送ローラと摩擦部材とを相対的に離接する相対位置変更手段と、
記録媒体の種類を設定する媒体種設定手段と、
前記媒体種設定手段による設定結果に基づき、記録媒体が搬送ローラに達する前に前記相対位置変更手段を制御して、前記搬送ローラまたは摩擦部材の接触位置あるいは離間位置を選択する制御手段と、を有することを特徴とする記録装置。
【００５９】
［実施態様２］
複数枚の記録媒体を格納する記録媒体格納部と、
複数枚の記録媒体中の最上部の記録媒体に接触して、前記記録媒体格納部から最上部の記録媒体を送り出すピックアップローラと、
前記ピックアップローラより搬送経路の下流側に配置され、下流側に行くに従って該搬送経路に近づく斜面と、
前記斜面より下流側に配置された搬送ローラと、
前記搬送ローラに接触可能であって該搬送ローラとの間に記録媒体を狭持して搬送する摩擦部材と、
前記搬送ローラに接触可能であって該搬送ローラとの間に記録媒体を狭持して搬送する従動コロと、
前記摩擦部材および従動コロと、搬送ローラとを選択的に離接する相対位置切替手段と、
記録媒体の種類を設定する媒体種設定手段と、
前記媒体種設定手段による設定結果に基づき、記録媒体が搬送ローラに達する前に前記相対位置切替手段を制御して、前記摩擦部材あるいは従動コロのうちいずれか一方を選択的に前記搬送ローラに接触させる制御手段と、を有することを特徴とする記録装置。
【００６０】
［実施態様３］
複数枚の記録媒体を格納する記録媒体格納部と、
複数枚の記録媒体中の最上部の記録媒体に接触して、前記記録媒体格納部から最上部の記録媒体を送り出すピックアップローラと、
前記ピックアップローラより搬送経路の下流側に配置され、下流側に行くに従って該搬送経路に近づく斜面と、
前記斜面より下流側に配置された搬送ローラと、
前記搬送ローラに接触可能であって該搬送ローラとの間に記録媒体を狭持して記録媒体を搬送する対向ローラと、
前記対向ローラに回転負荷を与えるトルクリミッタと、
前記搬送ローラと対向ローラを相対的に離接する相対位置変更手段と、
記録媒体の種類を設定する媒体種設定手段と、
前記媒体種設定手段による設定結果に基づき、記録媒体が搬送ローラに達する前に前記相対位置変更手段を制御して、接触位置あるいは離間位置を選択する制御手段と、を有することを特徴とする記録装置。
【００６１】
［実施態様４］
複数枚の記録媒体を格納する記録媒体格納部と、
複数枚の記録媒体中の最上部の記録媒体に接触して、前記記録媒体格納部から最上部の記録媒体を送り出すピックアップローラと、
前記ピックアップローラより搬送経路の下流側に配置され、下流側に行くに従って該搬送経路に近づく斜面と、
前記斜面より下流側に配置された搬送ローラと、
前記搬送ローラに接触可能であって該搬送ローラとの間に記録媒体を狭持して記録媒体を搬送する対向ローラと、
前記対向ローラに回転負荷を与えるトルクリミッタと、
前記搬送ローラに接触可能であって該搬送ローラとの間に記録媒体を狭持して搬送する従動コロと、
前記対向ローラおよび従動コロと、搬送ローラとを選択的に離接する相対位置切替手段と、
記録媒体の種類を設定する媒体種設定手段と、
前記媒体種設定手段による設定結果に基づき、記録媒体が搬送ローラに達する前に前記相対位置切替手段を制御して、前記対向ローラあるいは従動コロのうちいずれか一方を選択的に前記搬送ローラに接触させる制御手段と、を有することを特徴とする記録装置。
【００６２】
［実施態様５］
複数枚の記録媒体を格納する記録媒体格納部と、
複数枚の記録媒体中の最上部の記録媒体に接触して、前記記録媒体格納部から最上部の記録媒体を送り出すピックアップローラと、
前記ピックアップローラより搬送経路の下流側に配置され、下流側に行くに従って該搬送経路に近づく斜面と、
前記斜面より下流側に配置された搬送ローラと、
前記搬送ローラに接触し該搬送ローラとの間に記録媒体を狭持して搬送する対向ローラと、
前記対向ローラに回転負荷を与えるトルクリミッタと、
前記対向ローラと前記トルクリミッタ間を連結、非連結するクラッチ手段と、
記録媒体の種類を設定する媒体種設定手段と、
前記媒体種設定手段による設定結果に基づき、記録媒体が搬送ローラに達する前に前記クラッチ手段を制御する制御手段と、を有することを特徴とする記録装置。
【００６３】
［実施態様６］
前記媒体種設定手段は、前記記録媒体格納部内の記録媒体の種類を検知する媒体種検知手段を含み、該媒体種検知手段の検知結果に基づき記録媒体の種類を設定することを特徴とする請求項１乃至請求項５のいずれか１項記載の記録装置。
【００６４】
【発明の効果】
上記説明した如く、本発明に係る記録装置においては、普通紙の分離性能と光沢紙の分離時の傷防止との両立を図り、様々な記録媒体を種類に応じて適切に分離給送することができる。
【図面の簡単な説明】
【図１】給送カセットを説明する斜視図である。
【図２】給送カセットを給送装置に挿入した状態の斜視図である。
【図３】内ガイド及び上ガイドを取り除いた状態の斜視図である。
【図４】内ガイド及び分離ローラを取り除いた状態の斜視図である。
【図５】分離パッド近傍の拡大斜視図である。
【図６】分離ローラ軸方向から見た側面図である。
【図７】分離ローラ軸方向から見た側面図である。
【図８】記録装置の全体概略構成図である。
【図９】コンピュータのプリント設定画面を表す図である。
【図１０】記録装置の動作を説明するフローチャートである。
【図１１】第二実施形態に係るガイド類を省略した要部斜視図である。
【図１２】分離ローラ軸の軸方向から見たソレノイド周辺の図である。
【図１３】分離ローラ軸の軸方向から見たソレノイド周辺の図である。
【図１４】第三実施形態に係る給送部近傍の斜視図である。
【図１５】分離ローラ軸方向から見た側面図である。
【符号の説明】
１        …給送カセット
２        …記録媒体
３        …底部
４        …傾斜壁
５        …斜面板
７        …サイドガイド
９        …ピックアップローラ
１０        …ローラアーム
１１        …アーム支持軸
１２        …モータ
１３        …ギア列
１４        …外ガイド
１５        …内ガイド
１６        …上ガイド
１７        …分離ローラ軸
１８、１９        …分離ローラ
２０        …分離ローラギア
２１        …分離パッド軸
２２        …分離パッド軸ギア
２３、２４        …分離パッド
２５、２６        …パッドホルダ
２７、２８        …対向コロ
２９、３０        …バネ軸
３３        …ピンチローラガイド
３４        …ピンチローラ
３５        …紙送りローラ
３６        …プラテン
３７、３８        …排出ローラ
３９        …ベルト
４０        …キャリッジ
４１        …ガイドシャフト
４４        …キャリッジモータ
４５        …キャリッジベルト
４６        …拍車
５０        …媒体種設定枠
５１        …三角ボタン
５２        …プルダウンメニュー
１００、１０１      …対向ローラ
１０２      …対向ローラ軸
１０３      …軸ギア
１０４      …遊星ギア
１０５      …太陽ギア
１０６      …振り子アーム
１０７      …トルクリミッタ
１０８      …引っ張りバネ
１０９      …バネかけ
１１０      …連結板
１１１      …ソレノイド
１１２      …バネかけ部
１１３      …ソレノイド軸
２００      …センサ支持台
２０１      …発光素子
２０２      …受光素子
【図１】
2004331300.tif 000003
【図２】
2004331300.tif 000004
【図３】
2004331300.tif 000005
【図４】
2004331300.tif 000006
【図５】
2004331300.tif 000007
【図６】
2004331300.tif 000008
【図７】
2004331300.tif 000009
【図８】
2004331300.tif 000010
【図９】
2004331300.tif 000011
【図１０】
2004331300.tif 000012
【図１１】
2004331300.tif 000013
【図１２】
2004331300.tif 000014
【図１３】
2004331300.tif 000015
【図１４】
2004331300.tif 000016
【図１５】
2004331300.tif 000017